(57)【要約】【課題】  織布、不織布を訪わずＸ線造影糸を確実に保持することができる医療用布材を提供する。【解決手段】  Ｘ線造影糸３を固定するための固定糸４を上糸とし、Ｘ線造影糸３を下糸とするミシンからなる組込手段を用いてＸ線造影糸３を基布に一体的に縫着する。【選択図】  図１
2005052471.tif 000002
【特許請求の範囲】
【請求項１】
不織布やガーゼなどの基布に対してＸ線造影糸が所定の組込手段によって一体的に組み込まれた医療用布材において、
上記組込手段は、上記Ｘ線造影糸を固定するための固定糸を上糸として上記基布に供給するミシンからなり、上記Ｘ線造影糸は、上記ミシンの下糸として上記基布に供給され、上記固定糸とともに上記基布に縫着されていることを特徴とする医療用布材。
【請求項２】
上記固定糸もＸ線造影剤が混入されたＸ線造影糸からなる請求項１に記載の医療用布材。
【発明の詳細な説明】
【技術分野】
【０００１】
本発明は、ガーゼなどの基布に対してＸ線造影糸を組み込んでなる医療用布材に関し、さらに詳しく言えば、Ｘ線造影糸を基布から抜け落ちにくくする改良技術に関する。
【背景技術】
【０００２】
医療ミスの発生を防止する手段の１つとして、ガーゼなどの基布にＸ線造影糸が組み込まれた医療用布材がある。この医療用布材は、通常は手術などの際に血液や体液、汚れなどを拭うために用いられるものであるが、施術後に患者をＸ線撮影することによって、患者の体内に医療用布材が残されていないかどうかを確認することができる。
【０００３】
一般に、ガーゼなどの織布からなる基布にＸ線造影糸を組み込む方法としては、例えば特許文献１に記載された方法がある。特許文献１は、縦糸と横糸のいずれか一方に沿ってＸ線造影糸を一緒にもじり織りで織り込む方法であり、これによれば、Ｘ線造影糸がもじり織りによって基布に確実に拘束されるため、裁断してもＸ線造影糸が抜け落ちにくい。
【０００４】
他方、不織布からなる基布にＸ線造影糸を組み込む方法としては、例えば特許文献２がある。不織布は一般に高圧水流処理によって繊維を水編みして得られる。そこで、特許文献２では、２枚予め作製された不織布の間にＸ線造影糸を挟み込み、再度高圧水流処理することで、Ｘ線造影糸を一体化する方法が開示されている。
【０００５】
しかしながら、上述した方法では次のような課題があった。すなわち、特許文献１のような織布の場合は、Ｘ線造影糸を織り込みために専用の織機を用意する必要があり、新たに設備投資する必要がある。特に、特許文献１のようなもじり織りのような複雑な動きを必要とする場合は、織機自体が複雑になり、コストがかさむことは否めない。
【０００６】
また、通常のＸ線造影糸は、ガーゼなどの縦糸と横糸よりも摩擦係数（μ）低いために数倍太く形成されている。そのため、縦糸と横糸の間に一緒に織り込んだだけでは、Ｘ線造影糸が簡単に抜け落ちてしまうおそれがある。
【０００７】
また、特許文献２のような不織布に織り込んだ場合は、２枚の不織布の間にＸ線造影糸を介装しているために不織布自体の厚さが厚くなる。したがって、不織布が硬くなってしまうため、血液などを吸収するのには好適である反面、患部を拭うには不適であった。
【０００８】
【特許文献１】特開２００２−１４３２１２号公報
【０００９】
【特許文献２】実開平２−１０９６１６号公報
【発明の開示】
【発明が解決しようとする課題】
【００１０】
そこで、本発明は、上述した課題を解決するためになされたものであって、その目的は、織布、不織布を訪わずＸ線造影糸を確実に保持することができる医療用布材を提供することにある。
【課題を解決するための手段】
【００１１】
上述した目的を達成するため、本発明は、請求項１において、不織布やガーゼなどの基布に対してＸ線造影糸が所定の組込手段によって一体的に組み込まれた医療用布材において、上記組込手段は、上記Ｘ線造影糸を固定するための固定糸を上糸として上記基布に供給するミシンからなり、上記Ｘ線造影糸は、上記ミシンの下糸として上記基布に供給され、上記固定糸とともに上記基布に縫着されていることを特徴としている。
【００１２】
請求項２において、上記固定糸もＸ線造影剤が混入されたＸ線造影糸からなることを特徴としている。
【００１３】
なお、本発明において「上糸」とは、ミシン針側から供給される糸をいい、「下糸」とは、ボビンなどによって釜側から供給される糸をいう。
【発明の効果】
【００１４】
請求項１に記載した発明によれば、組込手段としてミシンを用いて、その上糸に固定糸を用い、下糸にＸ線造影糸を用いて基布に一体的に縫い付けることにより、至って簡単な方法でＸ線造影糸を基布に組み込むことができる。本発明によれば、基布の種類は織布、不織布を問わずに使用することができる。
【００１５】
請求項２に記載した発明によれば、上糸である固定糸もＸ線造影糸としたことにより、上糸と下糸とを細いものを使用して、両方を縫い合わせたときに、１本の太いＸ線造影糸とすることができる。
【発明を実施するための最良の形態】
【００１６】
次に、本発明の実施形態について図面を参照しながら説明する。図１は本発明の一実施形態に係る医療用布材の斜視図であり、図２は、その断面図である。この医療用布材１は、ガーゼなどの織布からなる基布２と、同基布２に固定糸４を介して一体的に縫着されたＸ線造影糸３とを備えている。
【００１７】
基布２は、綿糸からなる縦糸および横糸を互いに織り込んでなるガーゼ織布から構成されているが、これ以外に高水圧処理などによって作られた不織布であってもよく、後述する組込手段としてのミシン処理が可能なものであれば、紙製シートなど任意の基布２が使用可能である。
【００１８】
この実施形態において、基布２は、１枚のガーゼシートから構成されているが、これ以外に２枚のガーゼシートを重ね合わせたものであってもよいし、ガーゼと不織布を重ね合わせたものであってもよい。
【００１９】
Ｘ線造影糸３は、硫酸バリウムなどのＸ線造影剤が混合された合成樹脂糸からなり、この実施形態においては、細いＸ線造影糸を複数本束ねたものを１本のＸ線造影糸としたものから構成されている。なお、１本の太いＸ線造影糸からなる糸を用いてもよい。
【００２０】
固定糸４は、最も一般的なものとしては木綿糸が用いられるが、これ以外の材質であってもよいが、より好ましくは、医療用途のため滅菌処理が可能なものが好ましいし、また着色などが施されていてもよい。
【００２１】
本発明のＸ線造影糸３は、基布２に対してミシンからなる組込手段を介して一体的に縫い付けられている。ミシンは、一般的な家庭用ミシンでも業務用ミシンでもよいが、上糸に固定糸４を用い、下糸にＸ線造影糸３を用いる方が好ましい。
【００２２】
なお、ミシンの構造などは一般的なものであってよく、その具体的な説明は省略する。また、本発明において下糸（Ｘ線造影糸３）は、上糸（固定糸４）に比べて数倍太く形成されているため、ミシンの糸調子をそれに併せて設定しておくことが好ましい。
【００２３】
次に、図３を用いてＸ線造影糸３の縫着手順の一例を説明する。まず、準備作業として、
下糸（Ｘ線造影糸４）をボビンに巻き付け、次に下糸を巻き付けたボビンをボビンケースに収納した後、ミシン内の釜内に装着しておく。
【００２４】
次に、固定糸４が巻き付けられた糸巻き（図示しない）から上糸４（固定糸４）の先端を繰り出し（図３（ａ）参照）、ミシン針１０の先端に設けられた針穴１１に固定糸４を挿通するとともに（図３（ｂ）参照）、上糸４の先端の一部を引き出す（図３（ｃ）参照）。
【００２５】
この状態でミシンの開始スイッチ（フットスイッチなど）を入れることにより、図３（ｄ）に示すように、基布２の上面から下面に向けてミシン針１０が落とし込まれ、基布２に貫通し、上糸４の一部が基布２の裏面側に押し込まれる。
【００２６】
次に、最下部まで落ちたミシン針１０は再び表側に向かって上昇するが（図３（ｅ）参照）、このとき上糸４は、針孔１０を通って基布２の裏面側に弛むように残されるため、図３（ｆ）に示すような環状のループ部４１が形成される。
【００２７】
図３（ｇ）に示すように、ミシン針１０が基布２から完全に引き抜かれると、基布２の裏面には上糸４だけがループ部４１を形成した状態で残される。このループ部４１に図示しない釜の剣先が挿入されることにより、図３（ｈ）に示すように、ループ部４１内に下糸３が挿入される。
【００２８】
ミシン針１０が最上部まで到達すると、上糸４も併せて引き上げられるが、図３（ｉ）に示すように、下糸３が上糸４に跨るように形成されているため上糸４が抜け落ちることはなく、下糸３と一体的に基布２に縫い付けられる。上記一連の作業を基布２を繰り出しながら繰り返すことにより、図２に示すように、基布２に上糸４と下糸３とが縫い付けられる。
【００２９】
これによれば、Ｘ線造影糸３（下糸）は、上糸４とともに一体的にからみついた状態で基布２に縫い付けられていることにより、基布２を任意の場所で切断しても、Ｘ線造影糸３が抜け落ちることはなく、確実に基布２に保持される。また、既存のミシン技術を用いることでより安価に製造することができる。
【００３０】
この実施形態において、固定糸４は単なる木綿糸が用いられ、この固定糸２で太いＸ線造影糸３を固定しているが、この固定糸２にＸ線造影糸を用いてもよい。これによれば、上糸と下糸とを比較的細めの同じデニールのＸ線造影糸を用いることにより、互いが縫合されることで１本の太いＸ線造影糸を得ることができる。このような態様も本発明に含まれる。
【図面の簡単な説明】
【００３１】
【図１】本発明の一実施形態に係る医療用布材の斜視図。
【図２】上記実施形態の医療用布材の断面図。
【図３】縫製手順を一例を説明する説明図。
【符号の説明】
【００３２】
１  医療用布材
２  基布
３  Ｘ線造影糸（下糸）
４  固定糸（上糸）
１０  ミシン針
【図１】
2005052471.tif 000003
【図２】
2005052471.tif 000004
【図３】
2005052471.tif 000005